(57)【要約】      （修正有）【課題】高所作業用安全ネットを設置したとき、ネットの幅を維持する幅維持用器具を提供する。【解決手段】ネットの通常幅よりも長い長さを有する本体４と、本体の両端に設けられたネット固定部５からなる。ネット固定部５はネット枠を構成するロープ１１を収容する凹部５２を有する。ネット固定部５は本体両端をＳ又は逆Ｓ字状に曲げることにより形成することができる。【選択図】図４
0003154583.tif 000002
【実用新案登録請求の範囲】
【請求項１】
高所作業用安全ネット（１）に取り付けて、このネットの幅を維持するための器具（３）であって、
前記ネット（１）の通常幅よりも長い長さを有する本体（４）と、
この本体の両端に設けられたネット固定部（５）からなり、
前記ネット固定部（５）はネット枠を構成するロープ（１１）を収容する凹部（５２）を有することを特徴とする、
高所作業用安全ネットの幅維持用器具。
【請求項２】
前記本体（４）が全体的に湾曲している請求項１記載の器具。
【請求項３】
前記本体（４）が伸縮可能である請求項１または２に記載の器具。
【請求項４】
前記ネット固定部（５）が本体両端をＳ又は逆Ｓ字状に曲げることにより形成されたものである請求項１〜３のいずれかに記載の器具。
【請求項５】
前記本体（４）及び前記ネット固定部（５）が合成樹脂（４１）で被覆した針金（４２）又は鉄棒である請求項１〜４のいずれかに記載の器具。
【請求項６】
前記ネット固定部（５）の末端に保護キャップ（５１）が設けられている請求項１〜５のいずれかに記載の器具。
【考案の詳細な説明】
【技術分野】
【０００１】
この考案は、構築物の外面と足場との間に配置される高所作業用安全ネットの幅維持用器具に関するものである。
【背景技術】
【０００２】
従来から建築現場において、足場を外側から垂直方向に覆って工事の安全を図る安全幕やネットが使用されている。さらに、構築物と足場の隙間が所定以上の場合には、足場床ごとに水平方向に安全ネットを設置し、作業員や工具等の落下を防止している。
【０００３】
通常、水平安全ネットは、足場にブラケットを取り付け、そのブラケットに結び付けたり、壁つなぎを利用して結び付けたりしている。
【０００４】
しかし、構築物側にはネットを固定するものがないことか多く、しかもネットは網目が縦横方向に伸縮可能であるので、自然状態では、添付図面の図１（ａ）に示すように、支持されていない部分で弛んで幅が狭くなりがちである。このようにネット幅が狭い部分があると、この部分から、作業員や工具等が落下する危険性があり、安全が確保されない。
【０００５】
この問題に直接的に取り組んだものではないが、実開平４−１１６５４４（特許文献１）では、足場用ネット本体に対して一定間隔毎に足場用シートを一体的に設けている。これにより、ネットの幅が維持される効果は得られる。
【０００６】
この特許文献１の考案は、ネットに対して直接加工しなければならないので、製造費が高騰すると共に、既成のネットには直ちに適用することはできない、という問題がある。
【考案の概要】
【考案が解決しようとする課題】
【０００７】
本発明は、簡単な器具を使用することにより、高所作業用安全ネットを設置したとき、ネットの幅を維持することを目的とする。
【課題を解決するための手段】
【０００８】
本考案請求項１の考案は、高所作業用安全ネットに取り付けてネットの幅維持するための器具であって、前記ネットの通常幅よりも長い長さを有する本体と、この本体の両端に設けられたネット固定部からなり、前記ネット固定部はネット枠を構成するロープを収容する凹部を有することを特徴とする。
【０００９】
本考案請求項２の考案は、前記本体が全体的に湾曲していることを特徴とする。
【００１０】
本考案請求項３の考案は、前記本体が伸縮可能であることを特徴とする。
【００１１】
本考案請求項４の考案は、前記ネット固定部が本体両端をＳ又は逆Ｓ字状に曲げることにより形成されたものであることを特徴とする。
【００１２】
本考案請求項５の考案は、前記本体及び前記ネット固定部が合成樹脂４１で被覆した針金４２や鉄棒であることを特徴とする。
【００１３】
本考案請求項６の考案は、前記ネット固定部の末端に保護キャップが設けられていることを特徴とする。
【考案の効果】
【００１４】
本考案請求項１のネット幅維持用器具によれば、本体が前記ネットの通常幅よりも長い長さを有するので、ネット幅維持用器具がネットの幅方向外側に向かって拡幅圧力をかけることになる。そのため、ネット幅が維持されると共に、ネット幅維持用器具が不用意に外れることはない。また、この器具は、既成のネットに対しても簡単に取り付けることができる。
【００１５】
本考案請求項２のネット幅維持用器具によれば、本体がバネ作用を有するようになるので、弾力性を付与しやすくなる。
【００１６】
本考案請求項３のネット幅維持用器具によれば、異なる幅を有する市販ネットに対しても対応が可能となる。
【００１７】
本考案請求項４のネット幅維持用器具によれば、ネット固定部が本体と同時に容易に形成される。
【００１８】
本考案請求項５のネット幅維持用器具によれば、好ましい強度と弾力性及びさびにくさを有するものが得られる。
【００１９】
本考案請求項６のネット幅維持用器具によれば、針金の末端のような危険部位の露出が避けられる。
【図面の簡単な説明】
【００２０】
【図１】（ａ）従来のネットの設置状態を示す平面図である。（ｂ）本考案第１実施例の安全ネット幅維持用器具を使用した状態の平面図である。
【図２】安全ネット幅維持用器具の（ａ）平面図と（ｂ）側面図である。
【図３】安全ネット幅維持用器具の拡大平面図である。
【図４】安全ネット幅維持用器具の拡大断面図である。
【考案を実施するための形態】
【００２１】
以下、添付図面に基づき、本考案の実施例を説明する。
【実施例１】
【００２２】
図１（ｂ）に示すように、高所作業用水平安全ネット１が構築物Ｓとネット固定パイプ２の間に設置されている。ネット１とネット固定パイプ２は紐２１などによりところどころで固定される。この高所作業用水平安全ネット１に対して、本考案のネット幅維持用器具３が一定間隔で設置される。設置間隔は、ネットの長さにもよるが、例えば、１〜５ｍごとである。
【００２３】
ネット幅維持用器具３は、図２に示すようなもので、やや湾曲させた棒状の本体４と、その両端に設けられたＳ又は逆Ｓ字状のネット固定部５からなる。本体４の長さは、ネットの通常幅よりもやや長いものとする。「通常幅」とは、普通にぴんと張った状態の幅のことである。ネット幅維持用器具３の素材は、ある程度、弾力性と強度があり、風雨にさらされてもさびにくいものであることが必要である。例えば、図４に示すように、合成樹脂４１で被覆した針金４２や鉄棒を使用することができる。
【００２４】
両端のネット固定部５は本体４を曲げることにより一体形成されている。両末端には合成樹脂製キャップ５１で保護されている。
【００２５】
ネット固定部５はＳ又は逆Ｓ字状であるので、上部凹部５２と下部凹部５３が形成されている。重要なのは上部凹部５２であり、図３、図４に示すように、この凹部５２の中にネット枠のロープ１１をはめ込んで使用する。前記したように、ネット幅維持用器具３の本体長さは、ネットの通常幅よりもやや長いので、凹部５２の中にネット枠のロープ１１をはめ込むと、ネット幅維持用器具３がネットの幅方向外側に向かって拡幅圧力をかけることになる。その際、本体４が湾曲していることによりバネ作用が生じ、拡幅圧力をかける上で有利に働く。そのため、ネット幅が維持されると共に、ネット幅維持用器具３が不用意に外れることはない。
【実施例２】
【００２６】
図示しないが、ネット幅維持用器具３の本体長さを伸縮自在のものとすることもできる。伸縮のための手段としては、物干し竿や釣り竿において長さ変更を可能とするのに用いられる、それ自体公知の手段を採用することができる。
【符号の説明】
【００２７】
１     高所作業用安全ネット
１１     ネット枠ロープ
２     足場延長部
３     ネット幅維持用器具
４     本体
４１     合成樹脂
４２     針金
５     ネット固定部
５１     合成樹脂製キャップ
【先行技術文献】
【特許文献】
【００２８】
【特許文献１】実開平４−１１６５４４
【図１】
0003154583.tif 000003
【図２】
0003154583.tif 000004
【図３】
0003154583.tif 000005
【図４】
0003154583.tif 000006